【手続補正書】
【提出日】平成14年12月17日(2002.12.17)
【手続補正１】
【補正対象書類名】明細書
【補正対象項目名】特許請求の範囲
【補正方法】変更
【補正の内容】
【特許請求の範囲】
【請求項１】
スペクトル特性を有するターゲットサンプルを適合させるシステムであって、
（ａ）第１の位置における、ターゲットスペクトルデータを送受信するように機能する第１のコンピュータと、
（ｂ）該第１の位置から離れている第２の位置における、該第１のコンピュータから該ターゲットスペクトルデータを受信するように機能する第２のコンピュータと、
（ｃ）複数のデータセットを含むデータベースであって、該データセットのそれぞれは、基準スペクトルデータを含む、データベースと、
（ｄ）該第１のコンピュータにあり、該ターゲットスペクトルデータを検索基準として用いて、該データベースを検索し、該ターゲットスペクトルデータと適合する基準スペクトルデータを有するデータセットとの適合を報告することが可能であるソフトウェアと、
を含む、システム。
【請求項２】
前記データベースは、前記第２のコンピュータにある、請求項１に記載のシステム。
【請求項３】
前記データベースは、前記第１のコンピュータにある、請求項１に記載のシステム。
【請求項４】
ターゲットサンプルから前記ターゲットスペクトルデータを感知し、該ターゲットスペクトルデータを前記第１のコンピュータに入力するように機能するデバイスをさらに含む、請求項１に記載のシステム。
【請求項５】
前記デバイスは、分光光度計である、請求項４に記載のシステム。
【請求項６】
前記第１のコンピュータは、さらに、ターゲット非スペクトルデータを送受信するように機能し、
前記第２のコンピュータは、さらに、該第１のコンピュータから該ターゲット非スペクトルデータを受信するように機能し、
前記データセットのそれぞれは、さらに、基準非スペクトルデータを含み、
前記ソフトウェアは、さらに、前記ターゲットスペクトルデータおよび該ターゲット非スペクトルデータの両方を検索基準として用いて、前記データベースを検索し、該ターゲット非スペクトルデータと適合する基準非スペクトルデータを有するデータセットとの適合を報告することが可能である、
請求項１に記載のシステム。
【請求項７】
前記データベースは、さらに、前記複数のデータセットに対応する複数の配合識別子を含み、
前記ソフトウェアは、さらに、前記適合するデータセットのそれぞれに対応する配合識別子を識別することが可能である、
請求項１に記載のシステム。
【請求項８】
前記ソフトウェアは、さらに、前記配合識別子に対応する配合によって生成された生成物の価格の見積りを提供することが可能である、請求項７に記載のシステム。
【請求項９】
スペクトル特性を有するターゲットサンプルを適合させるシステムであって、
（ｅ）第１の位置における、ターゲットスペクトルデータを送受信するように機能する第１のコンピュータと、
（ｆ）該第１の位置から離れている第２の位置における、該第１のコンピュータから該ターゲットスペクトルデータを受信するように機能する第２のコンピュータと、
（ｇ）該第２のコンピュータにあり、複数のデータセットを含むデータベースであって、該データセットのそれぞれは、基準スペクトルデータを含む、データベースと、
（ｈ）該ターゲットスペクトルデータを検索基準として用いて、該データベースを検索し、該ターゲットスペクトルデータと最も適合する基準スペクトルデータを有するデータセットとの適合を報告することが可能であるソフトウェアと、
を含む、システム。
【請求項１０】
高分子材料のターゲットサンプルから前記ターゲットスペクトルデータを感知し、該ターゲットスペクトルデータを前記第１のコンピュータに入力するように機能するデバイスをさらに含む、請求項９に記載のシステム。
【請求項１１】
前記デバイスは、分光光度計である、請求項９に記載のシステム。
【請求項１２】
前記第１のコンピュータは、さらに、ターゲット非スペクトルデータを送受信するように機能し、
前記第２のコンピュータは、さらに、該第１のコンピュータから該ターゲット非スペクトルデータを受信するように機能し、
前記データセットのそれぞれは、さらに、基準非スペクトルデータを含み、
前記ソフトウェアは、さらに、前記ターゲットスペクトルデータおよび該ターゲット非スペクトルデータの両方を検索基準として用いて、前記データベースを検索し、該ターゲット非スペクトルデータと最も適合する基準非スペクトルデータを有するデータセットとの適合を報告することが可能である、
請求項９に記載のシステム。
【請求項１３】
前記データベースは、さらに、前記複数のデータセットに対応する複数の配合識別子を含み、
前記ソフトウェアは、さらに、前記適合するデータセットのそれぞれに対応する配合識別子を識別することが可能である、
請求項９に記載のシステム。
【請求項１４】
前記配合識別子に対応する配合によって生成された生成物の価格の見積りを提供することが可能な別のソフトウェアをさらに含む、
請求項１３に記載のシステム。
【請求項１５】
色を適合させる方法であって、
（ａ）ユーザインタフェースを有するネットワークを提供する工程と、
（ｂ）該ユーザインタフェースを介して、ターゲットスペクトルデータ、ターゲット非スペクトルデータ、またはその組み合わせを受信して、ターゲットデータセットを形成する工程と、
（ｃ）複数の基準データセットを含むデータベースを提供する工程であって、該基準データセットのそれぞれは、基準スペクトルデータおよび基準非スペクトルデータを含む、工程と、
（ｄ）該ターゲットデータセットを該データベースと比較して、該ターゲットデータセットと該基準データセットとの間の適合を判断する工程と、
（ｅ）該適合をネットワーク上に表示する工程と、
を含む、方法。
【請求項１６】
前記データベースは、さらに、複数の配合識別子を含み、該配合識別子のそれぞれは、前記基準データセットおよび配合に対応し、該配合のそれぞれを該基準データセットと関連付け、
該配合のそれぞれは、該関連する基準データセットの前記スペクトルデータおよび非スペクトルデータを有する生成物を生成するための規格を含む、
請求項１５に記載の方法。
【請求項１７】
（ｆ）前記ユーザインタフェースを介して、数量情報を受信する工程と、
（ｇ）該数量情報および前記対応する配合識別子を用いて、価格の見積りを求めることが可能なソフトウェアを実施する工程と、
（ｈ）該数量情報および該対応する配合識別子を用いて、該価格の見積りを求める工程と、
（ｉ）該価格の見積りをネットワーク上に表示する工程と、
をさらに含む、請求項１６に記載の方法。
【請求項１８】
品質制御方法であって、
（ａ）ターゲットサンプルからスペクトルデータを得て、第１の位置におけるターゲットサンプルスペクトルデータを判断する工程と、
（ｂ）第２の位置において生成される複数の基準サンプルにアクセスする工程と、
（ｃ）該ターゲットサンプルスペクトルデータに最も近似する基準スペクトルデータを有する基準サンプルを識別する工程と、
（ｄ）該第１の位置において該基準サンプルを受信する工程と、
（ｅ）該第１の位置において該基準サンプルから基準サンプルスペクトルデータを得る工程と、
（ｆ）該ターゲットサンプルスペクトルデータを、該第１の位置において得られる該基準サンプルスペクトルデータと比較する工程と、
（ｇ）該第１の位置において得られる該基準サンプルスペクトルデータと該ターゲットサンプルスペクトルデータとの間の該比較を評価して、該基準サンプルとの類似の度合いを判断する工程と、
を含む、方法。
【請求項１９】
（ｈ）以前に前記基準サンプルを生成する際に用いた配合を用いて最終生成物サンプルを生成する工程と、
（ｉ）該生成物サンプルから生成物サンプルスペクトルデータを得る工程と、
（ｊ）該生成物サンプルスペクトルデータを、前記第１の位置において得られる前記基準サンプルスペクトルデータと比較する工程と、
（ｋ）該基準サンプルスペクトルデータと該生成物サンプルスペクトルデータとの間の該比較を評価して、該基準サンプルとの類似の度合いを判断する工程と、
をさらに含む、請求項１８に記載の方法。
【請求項２０】
色を適合させる方法であって、
（ａ）ターゲットサンプルから得られるターゲットスペクトルデータを含む検索基準を提供する工程と、
（ｂ）該ターゲットスペクトルデータを第１の位置における第１のコンピュータに入力する工程と、
（ｃ）複数の基準データセットを含むデータベースを提供する工程であって、該基準データセットのそれぞれは、基準スペクトルデータおよび基準非スペクトルデータを含む、工程と、
（ｄ）該データベースを検索する際に用いる検索許容範囲を特定する工程であって、該検索許容範囲は、許容可能な適合を提供する該基準スペクトルデータの範囲を規定する、工程と、
（ｅ）該検索基準を用いて適合を判断するために該データベースを検索する工程と、
（ｆ）該検索許容範囲を考慮して、該適合が許容可能であるかを判断する工程と、
（ｇ）該適合が許容可能である場合、該第１の位置から離れている第２の位置における第２のコンピュータに配合識別子を転送する工程と、
（ｈ）該適合が許容可能でない場合、該第１の位置から離れている該第２の位置における該第２のコンピュータに該ターゲットスペクトルデータを転送し、用いられる場合に許容可能な適合を生成する配合を達成するために該第２の位置において再配合する工程と、
を含む、方法。